(57)【要約】【課題】電磁波の侵入を確実に阻止して雑音の発生を防止し、シールド構造に音響抵抗を持たせることができる構造にすることにより、風雑音やポップ雑音を防止することもできるコンデンサマイクを得る。【解決手段】少なくとも一端側に音響端子３０を有するマイクロホンユニット２４と、マイクロホンユニット２４の音響端子３０側に配置された音響抵抗体２６と、マイクロホンユニット２４と音響対抗体２６を収納したケース２２と、を有してなるコンデンサマイクロホンであって、音響抵抗体２６は、導電材料からなる弾力のある部材であり、マイクロホンユニット２４とケース２２に電気的に導通している。音響抵抗体２６は、これを金属製の細線からなる布状のものあるいは不織布状のものとするとよい。【選択図】図１
2006157086.tif 000002
【特許請求の範囲】
【請求項１】
少なくとも一端側に音響端子を有するマイクロホンユニットと、このマイクロホンユニットの音響端子側に配置された音響抵抗体と、上記マイクロホンユニットと音響対抗体を収納したケースと、を有してなるコンデンサマイクロホンであって、
上記音響抵抗体は、導電材料からなる弾力のある部材であり、マイクロホンユニットとケースに電気的に導通していることを特徴とするコンデンサマイクロホン。
【請求項２】
音響抵抗体は金属製の細線を布状に編んだものからなり静電シールドを兼ねている請求項１記載のコンデンサマイクロホン。
【請求項３】
音響抵抗体は金属製の細線からなる不織布状のものからなり静電シールドを兼ねている請求項１記載のコンデンサマイクロホン。
【請求項４】
音響抵抗体は金属製の細線からなる布状又は不織布状のものをプレス成形してなる請求項１記載のコンデンサマイクロホン。
【請求項５】
音響抵抗体は、ステンレス鋼製の細線からなる請求項１ないし４のいずれかに記載のコンデンサマイクロホン。
【発明の詳細な説明】
【技術分野】
【０００１】
本発明は、コンデンサマイクロホンに関するもので、特に、外部からの電磁波による雑音および風雑音を効果的に防止することができるコンデンサマイクロホンに関するものである。
【背景技術】
【０００２】
コンデンサマイクロホンに用いられるマイクロホンユニットはインピーダンスが高いため、電気信号に変換した音声信号を低インピーダンスに変換するために、電界効果トランジスタ（ＦＥＴ）などを有してなるインピーダンス変換器を用いている。インピーダンス変換器によってインピーダンス変換された音声信号は、後続のローカット回路、出力回路へと伝達されていく。ネクタイピン型のマイクロホンやヘッドセット型のマイクロホンは、見た目に目立たないようにするために、マイクロホンユニット部にはインピーダンス変換器のみを内蔵し、ローカット回路や出力回路などは回路収納部に収納し、マイクロホンユニット部と回路収納部を専用ケーブルで接続している。
【０００３】
マイクロホンユニットには、音波の取り入れ口とでもいうべき音響端子が設けられる。無指向性マイクロホンの場合１個の音響端子が必要であり、単一指向性の一次音圧傾度型のマイクロホンの場合、前後に一つずつ音響端子が必要である（例えば、特許文献１、特許文献２参照）。
【０００４】
【特許文献１】特開２０００−２３２７００号公報
【特許文献２】特開平５−７３９８号公報
【０００５】
図３は、従来のコンデンサマイクロホンのマイクロホンユニット部の例を示す。図３において、コンデンサ型のマイクロホンユニット４は、円筒形状のケース２に内蔵されている。マイクロホンユニット４は前端側に音響端子１０を有している。ケース２の前端部内周側には、一側面をマイクロホンユニット４の音響端子側に接触させて、ウレタンスポンジなどからなる音響抵抗体８が内蔵されている。ケース２の前端部にはまた、静電シールドのための金属網６が固定されている。金属網６は、例えば、平坦な金属製の網をプレスによる成形加工などによって有底の扁平なカップ状に成形してなるもので、円筒形の周壁６１が音響抵抗体８の周面を囲んでケース２の先端部内周に嵌められている。金属網６の周壁６１とケース２の内周面とが図４に示すように接触して電気的な接点１２を形成している。金属網６の周壁６１とケース２の内周面は、適宜の箇所で接着され、金属網６がケース２に固定されている。ケース２の後端周縁部はかしめ加工ないしは絞り加工されてマイクロホンユニット４の脱落防止が図られている。また、ケース２の後端部から、図示されないコードが引き出される。
【０００６】
図３、図４に示すように、マイクロホンユニット４の音響端子１０の部分は金属網６を被せることによって静電シールドされる。しかし、金属網６、例えばゴム系接着剤などによってケース２に接着されて固定されるため、金属網６とケース２相互間では限られた複数の接点で接触することになり、金属網６とケース２相互間の電気的な接続が不安定であり、静電シールドも不安定になる。この静電シールドが不安定な部分に外部から電磁波が侵入してくると、内部の回路に高周波電流が流れ、この高周波電流が内部の半導体素子で検波されて雑音を発生する。特に、近年、携帯電話の普及に伴い、マイクロホンの近くで携帯電話を使用する機会が増え、携帯電話で使用している電波を原因とする雑音の発生が問題となっている。
【０００７】
また、マイクロホンユニット４の音響端子１０に風や音声による気流、特に破裂音による気流が当たると、風雑音あるいはポップ雑音が発生する。通常、風雑音を防止するために、音響抵抗を持つ布、スポンジなどからなる音響抵抗体８を音響端子１０に取り付けている。ところが、音響抵抗体８を構成する材料は、スポンジなどは非導電材料であることから、かかる材料からなる音響抵抗体８を音響端子１０に取り付けると、上記のように、不安定な金属網６とケース２相互間の電気的な接続がいっそう不安定となり、静電シールドがいっそう不安定となって、電磁波による雑音が発生しやすくなるという問題がある。
【発明の開示】
【発明が解決しようとする課題】
【０００８】
本発明は、上記のような従来技術の問題点を解消するためになされたもので、シールド構造を工夫することによって、マイクロホンケースとマイクロホンユニットとを多数の点で電気的に接続することができ、連続的なシールド構造にすることによって、電磁波の侵入を確実に阻止して雑音の発生を防止し、また、シールド構造に音響抵抗を持たせることができる構造にすることにより、風雑音やポップ雑音を防止することもできるコンデンサマイクを提供することを目的とする。
【課題を解決するための手段】
【０００９】
本発明は、少なくとも一端側に音響端子を有するマイクロホンユニットと、このマイクロホンユニットの音響端子側に配置された音響抵抗体と、上記マイクロホンユニットと音響対抗体を収納したケースと、を有してなるコンデンサマイクロホンであって、上記音響抵抗体は、導電材料からなる弾力のある部材であり、マイクロホンユニットとケースに電気的に導通していることを最も主要な特徴とする。音響抵抗体は、これを金属製の細線からなる布状のものあるいは不織布状のものとするとよい。
【発明の効果】
【００１０】
音響抵抗体は、弾力性のある部材であり、風や破裂音によって生じる気流が音響端子に届くのを防止し、気流による風雑音、ポップ雑音などの発生を防止する。音響抵抗体は金属製の細線からなる弾力のある部材であり、マイクロホンユニットとケースに電気的に導通しているため、外部から侵入しようとする電磁波をシールドして侵入を阻止し、電磁波を原因とする雑音の発生を防止することができる。
【発明を実施するための最良の形態】
【００１１】
以下、本発明にかかるコンデンサマイクロホンの実施例を、図１、図２を参照しながら説明する。図１、図２は、説明の便宜上、無指向性でネクタイピン型のマイクロホンの例を示しているが、単一指向性の一次音圧傾度型のマイクロホンのように、前後に一つずつ音響端子を有するマイクロホンにも適用可能である。
【００１２】
図１において、コンデンサ型のマイクロホンユニット２４は、円筒形状のケース２２に内蔵されている。マイクロホンユニット２４は前端側に音響端子３０を有している。ケース２２の前端部内周側には、一側面をマイクロホンユニット２４の音響端子３０側に接触させて、音響抵抗体２６が内蔵されている。音響抵抗体２６は導電性の細線を素材とした円板状の部品である。
【００１３】
図２は、上記音響抵抗体２６の例を示す。音響抵抗体２６の素材は導電性の細線である。細線は、例えば、鋼製の細線であり、より好ましくは経時的にさびや汚れが生じないようにステンレス鋼製の細線にするとよい。このような鋼製の細線を編んで布状にした、いうならば導電布としたもの、あるいは、鋼製の細線を任意に曲げたものを平らにして不織布状にしたものを、プレスによる成形などによって円板状の部品に成形して音響抵抗体２６とする。このようにして得ることができる音響抵抗体２６は、弾力性があり、細線相互間に音声を通すことができる微小な空間が生じるとともに、音声の通過に対してある程度の抵抗力が働き、音響抵抗体として機能する。弾力性と音響抵抗体としての機能を備えた導電材料の具体例として、太陽金網株式会社製の導電布「ＳＵＩ−７８−５０１０Ｔ」を用いることができる。
【００１４】
図１に示すように、音響抵抗体２６はケース２２の前端部２８の内周側に挿入され、後ろ側の面がマイクロホンユニット２４の音響端子３０側の面に当接させられている。音響抵抗体２６の外径はケース２２の内径よりも大きくなっていて、これを半径方向に圧縮した状態でケース２２の前端部２８の内周面に挿入することにより、音響抵抗体２６は弾力による反発力でケース２２の内周面に当接させられている。音響抵抗体２６は上記のように導電性の材料からなるものであることから、ケース２２と電気的に導通し、マイクロホンユニット２４とも電気的に導通している。音響抵抗体２６がマイクロホンユニット２４から離間することのないように、接着部３２が少なくとも１箇所に設けられている。電磁波に対するシールド効果を高く維持するために、音響抵抗体２６とマイクロホンユニット２４との接触面積はできるだけ広いことが望ましいので、音響抵抗体２６がマイクロホンユニット２４から離間しない程度に背着部３２の個数ないしはトータルの面積を小さくする。
【００１５】
音響抵抗体２６はケース２２から脱落しないように適宜の固定手段を設けるとよい。例えば、部分的な接着でもよいし、止めリングをケース２２にねじ込んでもよい。ケース２２の後端周縁部はかしめ加工ないしは絞り加工されて、ケース２２の後端側からのマイクロホンユニット２４の脱落防止が図られている。また、ケース２の後端部から、図示されないコードが引き出される。
【００１６】
以上説明した実施例によれば、マイクロホンユニット２４の音響端子３０の前面側に音響抵抗体２６が配置されているため、風や破裂音による気流が音響抵抗体２６によって抑制され、風雑音、ポップ雑音の発生を防止することができる。
【００１７】
上記実施例によればまた、音響抵抗体２６は、弾力のある導電材料からなり、マイクロホンユニット２４とケース２２に電気的に導通しているため、音響抵抗体２６に静電シールドを兼ねさせることができ、部品点数を削減した簡単な構成であるにもかかわらず、外部から侵入しようとする電磁波を遮断して、電磁波による雑音の発生を防止することができる。
【００１８】
加えて、音響抵抗体２６として、金属製の細線からなる布状又は不織布状のものを用いることにより、音響抵抗体２６とケース２２との接触点、音響抵抗体２６とマイクロホンユニット２４との接触点を多数設けることができるため、また、音響抵抗体２６をその弾力によってケース２６あるいはマイクロホンユニット２４に接触させることができるため、音響抵抗体２６と、ケース２２およびマイクロホンユニット２４との電気的接続を連続的に、かつ、安定に維持することができ、従来のコンデンサマイクロホンに比べて電磁波シールド効果を高めることができる。その結果として、例えばマイクロホンの近傍で携帯電話が使用されたとしても、携帯電話からの電磁波の侵入が確実に遮断され、雑音の発生を確実に防止することができる。
【産業上の利用可能性】
【００１９】
本発明は、コンデンサマイクロホンであればどのようなタイプのものにも適用可能である。例えば、図示の実施例は無指向性ネクタイピン型のコンデンサマイクロホンの例であったが、単一指向性あるいは狭指向性のマイクロホンであってもよく、ネクタイピン型に限られるものでもない。
【図面の簡単な説明】
【００２０】
【図１】本発明にかかるコンデンサマイクロホンの実施例を示す縦断面図である。
【図２】上記実施例中の音響抵抗体を示す斜視図である。
【図３】従来のコンデンサマイクロホンの例を示す縦断面図である。
【図４】上記従来のコンデンサマイクロホンにおけるケースと金属網との接触状態を示す断面図である。
【符号の説明】
【００２１】
２２    ケース
２４    マイクロホンユニット
２６    音響抵抗体
【図１】
2006157086.tif 000003
【図２】
2006157086.tif 000004
【図３】
2006157086.tif 000005
【図４】
2006157086.tif 000006